(57)【特許請求の範囲】
【請求項１】
動物を収容するための檻において、当該檻の内側の上下方向、左右方向又は前後方向の少なくとも一方向に、檻の外部からの操作によりネジ棒の駆動を介して、ネジの軸方向に移動させることができる仕切柵を設けたことを特徴とする動物収容用檻。
【請求項２】
仕切柵が２つ存在し、上下方向と左右方向又は前後方向のいずれかの２方向に移動するよう設けられていることを特徴とする請求項１記載の動物収容用檻。
【発明の詳細な説明】
【０００１】
【発明の属する技術分野】
本発明は、動物を収容する檻に関し、特に行動・性格的に危険性が高い動物について、動物を傷つけずに診断・治療等の処置や、安全に運搬をすることができる動物収容用檻に関する。
【０００２】
【従来の技術】
従来より、動物を捕獲して動物園等に搬入したり、動物を診察・治療するために動物を病院に移動させたりなど、動物を一定の場所間に移動させることが必要な場合があった。その際には、動物を一定場所から収容装置に入れ、その装置ごともう一方の場所に移動を行っていた。
【０００３】
しかし、動物園で飼育する動物には凶暴なものもあり、行動・性格的に危険性が高いため、収容装置に入れて当該動物を移動させる際には作業員の危険度も高かった。そのため動物に麻酔銃等で薬物を投与して、動物の行動を抑制するなどを行うのが常であった。また、そうでなくても檻に入れられて自由を奪われた動物は、暴れるものもあり、作業員が不測の怪我を負うような場合もあった。
【０００４】
一方、動物に対し麻酔銃などを撃った場合の動物の被るダメージは大きく、動物を安全に保護するという点から問題があった。また動物に麻酔銃を撃ち、その後動物を収容装置に持ち運ぶ際の作業員の負荷も過大であった。
【０００５】
更に、動物を移動させた際すぐに診察等を行いたい場合もあり、その場合は動物を眠らせない状態で収容装置に入れ、移動させることが必要な場合もあった。その場合には作業員が動物を捕獲して、収容装置まで持ち抱えて運ぶことが必要とされるが、これには危険が伴うものでり、また熊などのように動物が巨大な場合はほとんど不可能であった。
【０００６】
更にまた、収容装置についても、対象となる動物の大きさが犬、猫、猿等の小動物から、オットセイ、ライオン、象、熊などの大動物まで様々であり、各々の大きさに対応したものがないのが現状であった。この場合、動物の大きさより装置が小さい場合は、収容することは不可能なのはもちろんであるが、大きすぎる場合であっても、装置内で動物に過度の行動領域を与えてしまい、移動中に動物が暴れる等の問題が生じていた。
【０００７】
その場合には収容設備内に一定の「仕切り」を設け、動物の行動領域を狭める対策も考えられてはいたが、予め動物の大きさが判明していなければ仕切りの位置を決めることができず、また動物を収容してから仕切りを設置するのは作業員にとって極めて危険が伴う作業であった。
【０００８】
また動物の中には壁等に体ごとぶつかってくる習性をもつものもあり、それに対して、後から簡易的に設置した仕切りでは、すぐに外れたり破損したりしてしまう等、強度上の問題も生じていた。
【０００９】
さらに、収容装置に動物を収容した場合であっても、その凶暴性などから人間が適宜当該動物の行動を監視しておく必要があったが、従来の収容設備は、一般に四方を板等を囲ったいわゆる「箱形」のものが多く、一度動物を収容して扉を閉めてしまうと、中が見えない状態になっていた。
【００１０】
この場合には覗き窓を設置したものも製造されてはいたが、形状が箱形であるため、動物が覗き窓の「死角」に入った場合などは、適宜動物の行動を監視することができない状態であった。それに対して、収容設備の大部分をガラス板やアクリル板で製作して、動物の行動を適宜監視できる収容設備も存在してはいたが、動物が当該板の存在に気付かず、壁に体当たりしてしまって動物が怪我をしたり、また壁が壊れるなどという問題が生じてしまっており、動物を収容するという点では必ずしも好ましくはなかった。
【００１１】
【発明が解決しようとする課題】
従って凶暴でかつ行動・性格的に危険性が高い動物や凶暴性を帯びた動物を収容することができ、収容や移動における動物への負担が小さく、かつ、作業者にとっても安全を確保することができる収容設備の開発が望まれていた。
【００１２】
【課題を解決するための手段】
本発明者は、上記課題を解決することのできる、動物収容用檻について種々研究を行った結果、当該檻の内部に、檻の外部からの操作により移動させることができる仕切柵を設けることで、上記の問題が解決することを見出し、本発明を完成した。
【００１３】
すなわち本発明は、動物を収容するための檻において、当該檻の内側の上下方向、左右方向又は前後方向の少なくとも一方向に、檻の外部からの操作により移動させることができる仕切柵を設けたことを特徴とする動物収容用檻を提供するものである。
【００１４】
また本発明は、檻内の仕切柵が、上下方向と左右方向又は前後方向のいずれかの２方向に設けられている上記の動物収容用檻を提供するものである。
【００１５】
【発明の実施の形態】
以下、本発明の実施形態を、図面と共に説明する。
【００１６】
図１から図４は本発明の一実施例である動物収容用檻を示すものであり、図１はその正面図、図２左側面図、図３は平面図であり、図４は図１のＡ−Ａ’方向の断面図である。各図中、１は動物収容用檻、２は底板、３は柵壁、４は天井柵、５は仕切柵を示す。また、６はネジ棒、７はネジ結合部、８はプーリー、９はベルト、１０はプーリー取付部をそれぞれ示し、１１は駆動ハンドル、１２は吊り手、１３はキャスター、１４は軸受け部を示す。
【００１７】
図１から図４で示される動物収容用檻１は、前後方向に動く仕切柵５のみを設けたものである。この動物収容用檻１は、床板２の上に、正面柵壁３ａ、裏面柵壁３ｂ、側面柵壁３ｃおよび３ｄをそれぞれ固定、設置し、更にその上に天井体４を設けた、箱形の檻として構成される。このうち、側面柵壁３ｃおよび３ｄの何れか一方または双方は、動物を入れる際に、例えば上下方向に動き開閉する構造となっていることが好ましい。
【００１８】
この檻には、４本のネジ棒６が設けられており、これらのネジ棒６は、仕切柵５の４端に設けられたネジ結合部７を貫通している。また、このネジ棒６の正面側端部には、それぞれプーリー８が取り付けられ、裏面側端部は軸受け部１４で受けている。更に、これらプーリー８にはベルト９が掛けられ、また、プーリー８の一つには、駆動ハンドル１１が取り付けられており、この駆動ハンドルを回転させることにより全部のプーリー８が同調して回転するようになっている。
【００１９】
本発明の動物収容用檻１を使用するに当たっては、まず、側面柵壁３ｃまたは３ｄの一方を開け、動物の導入口とする。このためには、例えば、吊り手１２を用いて、当該側面柵壁を上部に引き上げればよい。この際、仕切柵５は、動物を入れ易いよう、正面柵壁３ａまたは裏面柵壁３ｂの何れかの側に寄せておく必要がある。
【００２０】
上記導入口より動物が動物収容用檻１の中に入った後は、速やかに上記側面柵壁を下ろす。次いで、動物収容用檻１の外部に設けられた駆動ハンドル１１を回転させて仕切柵５を、最初の位置から徐々に他方の柵壁方向に向けて移動させる。この移動は、駆動ハンドル１１からの回転力によりプーリー８を介して回転されたネジ棒６が、ネジ結合部７をネジ軸方向に移動させることにより行われる。すなわち、ネジ結合部７は雌ネジを有し、このネジ部を通じてネジ棒６が貫通しているから、ネジ棒６の回転は、このネジ結合部７をネジの軸方向に移動することになり、これが取り付けられている仕切柵５もこれにつれて移動するのである。なお、本実施例では、仕切柵５は正面柵壁３ａおよび裏面柵壁３ｂと平行に設置され、前後方向に動くが、必要に応じて、上下方向あるいは左右方向に動くように設置することもできる。これらの場合は、仕切柵５は、天井柵壁４および底板２と平行にあるいは左右側柵板３ｃ、３ｄと平行に設置される。
【００２１】
このようにして移動した仕切柵５は、動物収容用檻１の中にいる動物を、正面柵壁３ａまたは裏面柵壁２ｂと仕切柵５の間に挟み込むことになるが、駆動ハンドル１１の運動に比べ、仕切柵５の移動量は極めて少ないため、動物に不測の怪我を与えたりすることはない。また、逆に、仕切柵５の移動は、回転運動を直線運動に変換したものであるために、例えば、動物が檻内で暴れたとしても簡単に戻るようなことはない。
【００２２】
なお、上記の動物収容用檻１の材質、構造等については、動物を安全に収容しうる強度の材質であれば特に制約はないが、その好ましい例は次の通りである。
【００２３】
すなわち、床板２は、動物及び檻の荷重がそのままかかるため、その重量に耐えうる頑丈な構造のものが好ましく、厚手板状の各種金属、木材、プラスチックなどを用いることができるが、強度等の点から各種金属、特にステンレスを用いるのが好ましい。また、床体の底にはキャスター１３を取り付けることで、檻全体の運搬・移動の際の作業者の肉体的な負担を軽減することができる。
【００２４】
また、各柵壁３は、いずれも金属製の角状または丸状の棒状体を外枠の骨格として、その中に、これも金属製の角状または丸状の棒状体を数本縦方向に格子状に並べて、その上下を外枠と接合されて構成されたものであることが好ましい。格子状とすることで、檻内の動物の行動が一目で把握することができ、動物の監視が容易となるばかりか、全体の軽量化も図ることができるなど、利点が多い。当該柵壁３を構成する金属状棒状体の材質としては、各種金属を使用することが可能であるが、強度や防食性からステンレスを用いることが好ましい。また、強度的な面を考慮すれば、外枠に用いる棒状体は、当該外枠内に接合される棒状体と同等あるいは太いことが好ましい。また上記棒状体は、全体の軽量化を考えて、中空パイプ状のものとすることが好ましい。
【００２５】
更に、仕切り柵５は上記壁体３と同様の構成で良く、いずれも金属製の角状または丸状の棒状体を仕切柵５の枠体の骨格（外枠）とし、これにネジ結合部７を取り付けた後、その中に金属製の角状または丸状の棒状体を数本縦に格子状に並べて、その上下を外枠と接合したものを使用することができる。この棒状体も、中空パイプ状のものが好ましい。
【００２６】
当該仕切柵５を構成する棒状体の材質も、上記の柵壁３と同様、各種金属を使用することが可能であるが、強度や防食性からステンレスを用いることが好ましい。また、本実施例では、仕切柵５は前後方向の１つのみであったが、後でその例を示すように更に上下方向あるいは左右方向に動く仕切柵５を設けることも可能である。そして、この場合はそれぞれの仕切柵５の格子の方向を他の仕切柵５の格子の動きを妨害しない方向とする必要がある。例えば、檻内に上下方向と前後方向の２方向に仕切柵５を設置しても、一方の仕切柵５の格子を形成する棒状体の間を、他方の仕切柵５の格子を形成する棒状体が通過するようにすれば、仕切柵５同士が交錯することなく、使用上での問題は生じない。
【００２７】
更にまた、天井柵壁４は柵壁３と同様の構成をとることによって、製造することもできるし、また強度を更に増したい場合や、屋外で雨や日差しから避けた状態としたい場合は、板状のものを用いることもできる。
【００２８】
次に、本発明の別の実施例である動物収納用檻１について説明する。図５および図６は、前後方向および上下方向に仕切柵５が設けられ、かつ、ネジ棒６の移動がモーターにより行われる例を示すものである。図中、２０は上下仕切柵、２１は前後仕切柵、２２は上下仕切柵駆動用モーター、２３は前後仕切柵駆動用モーター、２４は上下仕切柵駆動用ネジ棒、２５は前後方向仕切柵駆動用ネジ棒をそれぞれ示し、２６はギア、２７はチェーン、２８はギア取り付け部、２９はガイドローラーをそれぞれ示す。
【００２９】
図５および図６に示すように本実施例の動物収納用檻１では、底板２に垂直に設けられた４本の上下仕切柵駆動用ネジ棒２４と、底板２に平行に設けられた４本の前後仕切柵駆動用ネジ棒２５が設けられている。そして、これらのネジ棒に対応して、それらを駆動するための上下仕切柵駆動用モーター２２と前後仕切柵駆動用モーター２３が設置されている。
【００３０】
そして、例えば４本の上下仕切柵駆動用ネジ棒２４の一端にはそれぞれギア２６が取り付けられており、このギア２６には、チェーン２７が掛けられている。そして、このモーター２２に近接するギアには、モーターからの回転力が、別のチェーンによって伝えられる。
【００３１】
このモーター２２の回転力が伝えられた近接ギアの回転力は、チェーン２７を通じて他の３つのギアへ伝えられ、これらギアは同期して回転する。このギア２６の回転力が上下仕切柵駆動用ネジ棒２４を回転させ、前で説明したメカニズムに従い、上下仕切柵２０を移動させることになり、檻内の動物の行動を抑制することができるのである。
【００３２】
前後仕切柵についても、上と同様なメカニズムに従い、必要な箇所に移動させることができる。
【００３３】
本実施例の動物収容用檻１では、檻の外部に設置されたモーターの回転力を用いて各仕切柵を動かすものであるため、労力が少なくて済むものである。また、モーターの操作部は檻の外部に設けることもでき、モーターを遠隔操作することで動物の固定前の不安定な状態の作業も回避することができる。加えて、仕切柵を上下方向および前後方向に移動させることができるので、大きな動物から小さな動物にまで使用することができるものである。
【００３４】
【発明の効果】
以上説明したように本発明の動物収容用檻は、檻の内側に上下方向左右方向又は前後方向の少なくとも一方向に檻の外部から操作により移動させることができる仕切柵を設けたものであり、動物を簡単に収容することができるばかりでなく、麻酔等で眠らせることをしなくても、仕切柵により動物の行動範囲を制御することで、動物の行動を抑制することが可能となる。
【００３５】
また、仕切柵の操作は檻の外部から人間が自由に行うことができるので、作業員の安全も確保することができ、最終的に行動・性格的に危険性が高い動物について、動物を傷つけず安全に運搬および治療をすることができる。
【図面の簡単な説明】
【図１】本発明の動物収容用檻の一実施例を示す正面図である。
【図２】本発明の動物収容用檻の一実施例の左側面図である。
【図３】本発明の動物収容用檻の一実施例を示す平面図である。
【図４】図１のＡ−Ａ’での断面図である。
【図５】本発明の動物収容用檻の別の実施例を示す正面図である。
【図６】本発明の動物収容用檻の別の実施例を示す平面図である。
【図７】本発明の動物収容用檻に動物を収容した一実施例を示す斜視図  である。
【符号の説明】
１        動物収容用檻
２        底板
３        柵壁
３ａ      正面柵壁
３ｂ        裏面柵壁
３ｃ      右側面柵壁
３ｄ        左側面柵壁
４        天井柵
５        仕切柵
６        ネジ棒
７        ネジ結合部
８        プーリー
９        ベルト
１０      プーリー取り付け部
１１      駆動ハンドル
１２      吊り手
１３      キャスター
１４      軸受け部
２０      上下仕切柵
２１      前後仕切柵
２２      上下仕切柵駆動用モーター
２３      前後仕切柵駆動用モーター
２４      上下仕切柵駆動用ネジ棒
２５      前後仕切柵駆動用ネジ棒
２６      ギア
２７      チェーン
２８      ギア取り付け部
２９      ガイドローラー
【図１】
0003635011.tif 000002
【図２】
0003635011.tif 000003
【図３】
0003635011.tif 000004
【図４】
0003635011.tif 000005
【図５】
0003635011.tif 000006
【図６】
0003635011.tif 000007
【図７】
0003635011.tif 000008